(57)【要約】【課題】筐体の内部に回路基板を配置する電子機器において、大きさの異なる回路基板に対応した回路基板取付け構造を備えた電子機器の筐体を提供すること。【解決手段】筐体１にフロント面に対して垂直な回路基板の一方側端を挿入して保持するガイドレール２を前記筐体１と一体成形により設け、前記ガイドレール２と対向する位置に大きさの異なる回路基板５ａ、５ｂ、５ｃの幅Ｗａ、Ｗｂ、Ｗｃに対応するように貫通孔７ａ、７ｂ、７ｃを形成し、さらに、当該筐体１の貫通孔７ａ、７ｂ、７ｃに係合可能な係合部を備えた着脱可能なガイドレール部材６ａ、６ｂ、６ｃの何れかを取付けることにより、上記課題を解決する。【選択図】図１
2006245376.tif 000002
【特許請求の範囲】
【請求項１】
機器の外観を担う筐体と、前記筐体の内部に配置する複数の電子部品を取着した回路基板とを備えた電子機器において、前記筐体には前記回路基板の一方側端を保持する第１の保持部を一体に形成し、前記筐体内部において前記回路基板を配置する位置を基準として前記第１の保持部と対向する位置に前記回路基板の他方側端を保持する第２の保持部を前記筐体とは別体に形成し、前記第２の保持部は前記回路基板の幅方向に位置の変更を可能としたことを特徴とする回路基板を備えた電子機器。
【請求項２】
前記筐体における前記第２の保持部を配置する箇所に貫通孔を形成し、前記第２の保持部には前記筐体の貫通孔に係合する係合部を形成し、前記第２の保持部が前記筐体に対して着脱可能に取り付け可能としたことを特徴とする請求項１に記載の回路基板を備えた電子機器。
【請求項３】
前記筐体に形成する貫通孔を前記基板の幅方向に複数形成したことを特徴とする請求項２に記載の回路基板を備えた電子機器。
【請求項４】
前記第２の保持部には前記回路基板の側端が摺動可能な案内溝を前記回路基板の奥行き方向に形成したことを特徴とする請求項１、請求項２、又は請求項３に記載の回路基板を備えた電子機器。
【請求項５】
前記第２の保持部は、前記筐体内部に配置する基板の奥行き方向に関して前記第１の保持部に比べてその長さを短く形成したことを特徴とする請求項１、請求項２、請求項３、又は請求項４に記載の回路基板を備えた電子機器。
【発明の詳細な説明】
【技術分野】
【０００１】
本発明は回路基板を備えた電子機器に関し、特に電子機器の外観を形成する筐体の大きさを同一とし、筐体の内部に配置する回路基板の大きさが電子機器の仕様によって異なる場合を考慮した回路基板の取付け構造に関する。
【背景技術】
【０００２】
大きさや形状の異なる回路基板を電子機器の筐体に取付けるために、従来から様々な構造が使用されている。異なる幅を有する回路基板を取付けるために、例えば特許文献１では、回路基板を筐体に取付けるときに、筐体のフロント面に対して垂直な回路基板の第一の縁部を挿入してガイドする第一のガイドレールと、筐体のフロント面に対して垂直な回路基板の第二の縁部を挿入してガイドする第二のガイドレールであって当該筐体フロント面側からの長さを第一のガイドレールの略三分の一とした前記第二のガイドレールとを当該筐体の底部上面に一体成形し、さらに当該第二のガイドレールから突出する前記回路基板の第二の縁部の後方部を支持するための別部品により構成される基板ホルダを、異なる幅を有する回路基板の形状に対応して当該筐体の底部上面の所定の複数箇所に設けることができるようにした回路基板取付け装置を有する電子機器の筐体が開示されている。
【０００３】
【特許文献１】実用新案登録第３０７６３３０号
【０００４】
また図９は、従来一般的に用いられている回路基板取付け装置を有する電子機器の筐体の一例を示す平面断面図である。図９に示すように、筐体１にはフロント面Ｘに対して垂直な回路基板の第一の縁部を挿入して保持する第一のガイドレール２を当該筐体１の一方に一体成形し、さらにフロント面Ｘに対して垂直な回路基板の第二の縁部を挿入して保持するガイドレール３を当該筐体１の他方に一体成形している。ここで、筐体１の外観形状は変更せず、電子機器の仕様等を変更することによって回路基板の幅方向の大きさが変更となった場合には、回路基板の大きさに合わせてガイドレール３の成形する位置を図９に示すように３ａ、３ｂ又は３ｃのいずれかの位置に当該筐体１の金型の入れ子によって変更することで大きさの異なる回路基板を筐体に取付ける対応をしていた。
【発明の開示】
【発明が解決しようとする課題】
【０００５】
しかし、特許文献１の回路基板取付け装置を有する電子機器の筐体においては、筐体のフロント面に対して垂直な回路基板の第一の縁部を挿入してガイドする第一のガイドレールと、筐体のフロント面に対して垂直な回路基板の第二の縁部を挿入してガイドする第二のガイドレールとが夫々筐体に一体形成されていることから、回路基板を筐体に取付けるときに当該回路基板の筐体フロント面側に対向する縁部を構成する一辺の長さが特定の値に固定されてしまうという制約がある。
【０００６】
又、図９に示した回路基板取付け装置を有する電子機器の筐体１においては、筐体１を成形する金型において回路基板の大きさに応じた専用の入れ子（図示せず）を別途用意しなければならず、金型形状の複雑化や金型の成形寿命低下の要因となる。又、外観形状が同一の筐体１でガイドレール３の成形位置のみが異なっているために、基板の大きさ毎に筐体１を管理する場合においても煩雑となり、更に入れ子の選択を間違えて筐体１を成形してしまう可能性もある。加えて筐体１のフロント面側Ｘに配置されるスピーカ４等の部品の取付け位置が障害となって、ガイドレール３ｃを筐体１に成形できない場合等がある。
【０００７】
本発明は、従来技術による上述の問題点を克服するために、大きさの異なる回路基板に対応した回路基板取付け構造を備えた電子機器の筐体を提供することを目的とする。  
【課題を解決するための手段】
【０００８】
上記課題を解決するために、本発明は、機器の外観を担う筐体と、前記筐体の内部に配置する複数の電子部品を取着した回路基板とを備える電子機器において、前記筐体には前記回路基板の一方側端を保持する第１の保持部を一体に形成し、前記筐体内部において前記回路基板を配置する位置を基準として前記第１の保持部と対向する位置に前記回路基板の他方側端を保持する第２の保持部を前記筐体とは別体に形成し、前記第２の保持部は前記回路基板の幅方向に位置の変更を可能とした、前記回路基板を備える電子機器を提供する。又、前記の回路基板を備える電子機器において、前記筐体における前記第２の保持部を配置する箇所に貫通孔を形成し、前記第２の保持部には前記筐体の貫通孔に係合する係合部を形成し、前記第２の保持部が前記筐体に対して着脱可能に取り付け可能とした、前記回路基板を備える電子機器を提供し、さらに、前記筐体に形成する貫通孔を前記基板の幅方向に複数形成した、前記回路基板を備える電子機器を提供する。さらに、前記第２の保持部には前記回路基板の側端が摺動可能な案内溝を前記回路基板の奥行き方向に形成した、前記回路基板を備える電子機器を提供する。さらに、前記第２の保持部は、前記筐体内部に配置する基板の奥行き方向に関して前記第１の保持部に比べてその長さを短く形成した、前記回路基板を備えた電子機器を提供するものである。  
【発明の効果】
【０００９】
本発明によれば、回路基板を備えた電子機器において、当該電子機器の仕様に対応して大きさの異なる回路基板を外観形状が同一の筐体を有する電子機器に取付ける場合に、回路基板の大きさに応じた専用の入れ子を別途用意する必要がなく、さらに当該筐体のフロント面側の取付け位置にスピーカー等の部品が配置されている場合にも、回路基板の縁部を受容してガイドするための専用のガイドレールを用意する必要のない、汎用性の高い電子機器の筐体を提供することができる。
【発明を実施するための最良の形態】
【００１０】
本発明による具体的な実施例を、以下、図を参照して説明する。先ず図１乃至図２により実施例における回路基板取付け構造を備えた電子機器の筐体及び着脱可能なガイドレールの構造を示す。図１は、幅方向に大きさが異なる回路基板５ａ、５ｂ、５ｃが電子機器の筐体１に取付けられた状態を示している。以下の説明を簡略化するために、取付けられる回路基板５をその大きさに応じて、小幅の回路基板を５ａ、中幅の回路基板を５ｂ、大幅の回路基板を５ｃとする。筐体１にはフロント面に対して垂直な回路基板の一方側端を挿入して保持するガイドレール２が前記筐体１と一体成形により設けられており、回路基板５を配置する位置を基準として前記ガイドレール２と対向する位置に大きさの異なる回路基板５ａ、５ｂ、５ｃの幅Ｗａ、Ｗｂ、Ｗｃに対応するように貫通孔７ａ、７ｂ、７ｃを形成している。さらに、当該筐体１の貫通孔７ａ、７ｂ、７ｃに係合可能な係合部を備えたガイドレール部材６を回路基板５の大きさに合わせて貫通孔７ａ、７ｂ，７ｃの何れかに着脱可能としている。尚、ガイドレール部材６を貫通孔７ａ、７ｂ、７ｃの何れかに係合する為の構造については特に限定しないが、例えば爪部を先端に形成した撓み変形可能なフック状の係合部を形成して貫通孔７ａ、７ｂ、７ｃの何れかに係合する構造としてもよい。又、図１の表示においては、小幅の回路基板５ａの幅Ｗａに対応する貫通孔７ａと中幅の回路基板５ｂの幅Ｗｂに対応する貫通孔７ｂとが、夫々中幅の回路基板５ｂ及び大幅の回路基板５ｃの背後に隠れてしまうので点線で表示している。
【００１１】
図２は図１と同じく、本発明の実施例を説明する回路基板取付け構造を備えた電子機器の筐体１及び着脱可能なガイドレール部材６の構造を示している。図２では、大きさの異なる回路基板５ａ、５ｂ、５ｃの取付け位置に夫々対応して筐体１に設けられる前記貫通孔７ａ、７ｂ、７ｃに装着された着脱可能なガイドレール部材６ａ、６ｂ、６ｃの状態が示されている。小幅の回路基板５ａとその回路基板５ａの側端を保持する着脱可能なガイドレール部材６ａとを実線で示し、中幅の回路基板５ｂとその回路基板５ｂの側端を保持する着脱可能なガイドレール部材６ｂとを一点鎖線で示し、大幅の回路基板５ｃとその回路基板５ｃの側端を保持する着脱可能なガイドレール部材６ｃとを二点鎖線で示している。
【００１２】
以上に説明した回路基板取付け構造を備えた電子機器の筐体及び着脱可能なガイドレール部材に基づき、以下、図３乃至図８を参酌して、大きさの異なる回路基板を電子機器の筐体に取付けるときの方法を説明する。
【００１３】
図３は小幅の回路基板５ａを筐体１に取付ける前の状態を示す平面断面図であり、図４は小幅の回路基板５ａを筐体１に取付けた後の状態を示す平面断面図である。小幅の回路基板５ａを筐体１に取付けるに先立ち、筐体１に一体成形されたガイドレール２から当該小幅の回路基板５ａの幅Ｗａに対応する距離だけ離間した位置に設けられた図１に示す貫通孔７ａに、着脱可能なガイドレール部材６ａを先ず装着する。ガイドレール部材６ａが筐体１の所定の位置に装着された状態が図３に示されている。次に、取付けるべき小幅の回路基板５ａを図３の矢印の方向に向けて、筐体１に一体成形された前記ガイドレール２と貫通孔７ａに装着された前記ガイドレール部材６ａとにより回路基板５ａの対向する両縁部を各ガイドレールの内側に形成した案内溝に沿って挿入する。図４は、小幅の回路基板５ａの挿入が完了し、電子機器の筐体１に取付けられた状態を示している。
【００１４】
中幅の回路基板５ｂ及び大幅の回路基板５ｃの筐体１への取付け方法の説明については、上記の小幅の回路基板５ａの取付け方法と同じなので、重複を避けるためにさらなる説明はここでは割愛するが、中幅の回路基板５ｂの取付け方法については図５乃至図６、大幅の回路基板５ｃの取付け方法については図７乃至図８に、夫々示したとおりである。
【００１５】
なお、従来技術の問題点として、筐体１のフロント面側Ｘに配置されるスピーカ４等の部品の取付け位置が障害となってガイドレール３ｃを筐体１に成形できない場合があることを先に図１を参酌して説明したが、本発明により当該問題点は完全に克服することができる。上記の問題点を解消するための本発明による対応を図８により説明する。本発明において、着脱可能なガイドレール部材６ｃの長さを筐体１に一体成形されたガイドレール２の長さより短くし、かつ大幅の回路基板５ｃの一隅８を切欠くことにより、筐体１内部に配置されるスピーカ４等の部品があっても、何ら当該ガイドレール６ｃの障害となることなしに、当該大幅の回路基板５ｃを筐体１に取付けることができる。
【図面の簡単な説明】
【００１６】
【図１】本発明における回路基板取付け構造を備えた電子機器の筐体及び着脱可能なガイドレール部材の一例を示す平面断面図。
【図２】本発明における回路基板取付け構造を備えた電子機器の筐体及び着脱可能なガイドレール部材の一例を示す平面断面図。
【図３】本発明の実施例を説明するための小幅の回路基板を筐体に取付ける前の状態を示す平面断面図。
【図４】本発明の実施例を説明するための小幅の回路基板を筐体に取付けた後の状態を示す平面断面図。
【図５】本発明の実施例を説明するための中幅の回路基板を筐体に取付ける前の状態を示す平面断面図。
【図６】本発明の実施例を説明するための中幅の回路基板を筐体に取付けた後の状態を示す平面断面図。
【図７】本発明の実施例を説明するための大幅の回路基板を筐体に取付ける前の状態を示す平面断面図。
【図８】本発明の実施例を説明するための大幅の回路基板を筐体に取付けた後の状態を示す平面断面図。
【図９】従来一般的に用いられている回路基板取付け構造を備えた電子機器の筐体の一例を示す平面断面図。
【符号の説明】
【００１７】
１  筐体
２  ガイドレール
４  スピーカ
５  回路基板
６  ガイドレール部材
７  貫通孔
【図１】
2006245376.tif 000003
【図２】
2006245376.tif 000004
【図３】
2006245376.tif 000005
【図４】
2006245376.tif 000006
【図５】
2006245376.tif 000007
【図６】
2006245376.tif 000008
【図７】
2006245376.tif 000009
【図８】
2006245376.tif 000010
【図９】
2006245376.tif 000011